(57)【要約】【課題】  フックのストッパを確実に開放して、大きな力を必要としないでフックを半回転させ、ロープを外すことができるワーク吊り上げ用フックを提供する。【解決手段】  ワイヤまたはロープ１５を介してワークを吊り上げるとともに、フック本体１２を回動させてワイヤまたはロープ１５を取外すワーク吊り上げ用フック１１において、略Ｊ字状をしたフック本体１２上部の軸支部１９に回動自在に設けられたストッパ１８と、ストッパ１８を牽引してフック本体１２に向けて回動させるストッパ回動手段２２と、ストッパ１８をフック本体１２に固定するストッパ固定手段２３と、フック本体１２の下部を牽引してフック本体１２を回動させるフック回動手段２４とを有する。【選択図】 図３
0003115571.tif 000002
【実用新案登録請求の範囲】
【請求項１】
ワイヤまたはロープを介してワークを吊り上げるとともに、フック本体を回動させて前記ワイヤまたはロープを取外すワーク吊り上げ用フックにおいて、
略Ｊ字状をしたフック本体の上部の軸支部に回動自在に設けられたストッパと、
前記ストッパを牽引してフック本体に向けて回動させるストッパ回動手段と、
前記ストッパをフック本体に固定するストッパ固定手段と、
前記フック本体の下部を牽引してフック本体を回動させるフック回動手段と、
を有することを特徴とするワーク吊り上げ用フック。
【請求項２】
前記ストッパをフック本体に固定するストッパ固定手段は、ストッパまたはフック本体の少なくとも一方に設けられた磁石であり、前記磁石の磁力によりストッパをフック本体に固定させることを特徴とする請求項１に記載のワーク吊り上げ用フック。
【請求項３】
前記ストッパはバネによりフック先端部側に向けて付勢されて軸支されるとともに、フック本体側に向けてフック本体部を挟むように突出した前記ストッパの突出部にストッパ回動手段が取付けられていることを特徴とする請求項１または請求項２に記載のワーク吊り上げ用フック。
【考案の詳細な説明】
【技術分野】
【０００１】
本考案は、ワイヤまたはロープを介してワークを吊り上げるとともに、フック本体を回動させて前記ワイヤまたはロープを取外すワーク吊り上げ用フックに関するものである。
【背景技術】
【０００２】
従来、ワイヤまたはロープを介してワークを吊り上げるとともに、フック本体を回動させて前記ワイヤまたはロープを取外すワーク吊り上げ用フックとしては、特許文献１に記載されたものが知られている。特許文献１に記載のものは、上方のリング６に通されたワイヤーまたはロープ８により、レバー１を引っ張り上げることにより、外れ止め具３を開放するとともに、フックを半回転させ、物体の吊り上げ具９を容易に取外すことができるものである。しかし特許文献１では、外れ止め具を完全に開放し固定できない場合があった。またレバー１が比較的上方にあるので、ワイヤーまたはロープ８を引き上げてフックを半回転させるのに大きな力が必要であり、特に吊り上げ具９が比較的重い場合はそれが顕著であった。
【０００３】
【特許文献１】実開昭６０−１１４１７６号公報（請求項１、第２図）
【考案の開示】
【考案が解決しようとする課題】
【０００４】
すなわち前記の特許文献１においては、フックの外れ止め具が完全に開放し固定されない場合があり、また吊り上げ具９が比較的重い場合は、ワイヤーまたはロープ８を引き上げてフックを半回転させるのに力が必要であった。そこで本考案では、フックの外れ止め具（ストッパ）を完全に開放し固定することができ、吊り上げ具が比較的重い場合でも、ワイヤまたはロープを引き上げてフックを半回転させるのに大きな力を必要としないワーク吊り上げ用フックを提供することを目的とする。
【課題を解決するための手段】
【０００５】
本考案の請求項１に記載のワーク吊り上げ用フックは、ワイヤまたはロープを介してワークを吊り上げるとともに、フック本体を回動させて前記ワイヤまたはロープを取外すワーク吊り上げ用フックにおいて、略Ｊ字状をしたフック本体の上部の軸支部に回動自在に設けられたストッパと、ストッパを牽引してフック本体に向けて回動させるストッパ回動手段と、ストッパをフック本体に固定するストッパ固定手段と、フック本体の下部を牽引してフック本体を回動させるフック回動手段とを有することを特徴とする。
【０００６】
本考案の請求項２に記載のワーク吊り上げ用フックは、請求項１において、ストッパをフック本体に固定させるストッパ固定手段は、ストッパまたはフック本体の少なくとも一方に設けられた磁石であり、磁石の磁力によりストッパをフック本体に固定することを特徴とする。
【０００７】
本考案の請求項３に記載のワーク吊り上げ用フックは、請求項１または請求項２において、ストッパはバネによりフック先端部側に向けて付勢されて軸支されるとともに、フック本体側に向けてフック本体部を挟むように突出したストッパの突出部にストッパ回動手段が取付けられていることを特徴とする。
【考案の効果】
【０００８】
本考案のワーク吊り上げ用フックは、フック本体の上部の軸支部に回動自在に設けられたストッパと、ストッパを牽引してフック本体に向けて回動させるストッパ回動手段と、ストッパをフック本体に固定するストッパ固定手段と、フック本体の下部を牽引してフックを回動させるフック回動手段とを有しているので、フックのストッパを確実に開放して固定し、大きな力を必要としないで、フックからロープを外すことができる。
【考案を実施するための最良の形態】
【０００９】
本考案の実施形態について図１ないし図３を参照して説明する。図１は、本実施形態におけるワーク吊り上げ用フックの拡大図である。図２は、本実施形態におけるワーク吊り上げ用フックの全体図であって、ストッパを回動させた状態の図である。図３は、本実施形態におけるワーク吊り上げ用フックの全体図であって、フック本体を回動させた状態の図である。
【００１０】
図１は、ホイスト式天井クレーンによりワークを搬送する際に用いるワーク吊り上げ用フック１１の拡大図である。なお本考案に用いられるクレーンは、天井クレーンの他、ジフクレーン、橋型クレーン、移動式クレーン等、クレーンの種類を問わない。ワーク吊り上げ用フック１１の各部について説明すると、フック本体１２は略Ｊ字状をしており、上部にワイヤ１３によって吊り下げられる取付リング１４が設けられている。またフック本体１２の下部の内周側には、吊り下げ具であるロープ１５またはワイヤ等を吊り下げる吊り下げ部１６が設けられ、フック本体１２の先端側には先端部１７を有している。フック本体１２上部の取付リング１４の下側には、ストッパ１８を取付ける軸支部１９が設けられている。なおこれらの構成は公知のフック本体と同じである。またフック本体１２の下部外周側（すわなち吊り下げ部１６よりもやや取付リング１４側の外周側の位置）には、フック本体１２を回動（一定角度回転）させるフック回動手段２４が取付けられる孔２５が設けられている。
【００１１】
ストッパ１８は、２枚のＬ字状部材２０，２０が接合部材２１により接合された部材であり、素材は鉄である。そして前記２枚のＬ字状部材２０，２０の間隔は、フック本体１２の厚みよりもやや広い間隔となっている。よってストッパ１８は、上から見ると、２枚のＬ字状部材２０，２０と接合部材２１とにより、コ字状となっている。前記２枚のＬ字状部材２０，２０の上部２０ａは、フック本体１２の軸支部１９に軸着されている。そしてストッパ１８が前記軸支部１９に取付けられたバネ（図示せず）によりフック本体１２の先端部１７の内側に向けて付勢されている。よってストッパ１８は、Ｌ字状部材２０の角部２０ｂと接合部材２１の一側面２１ａが先端部１７の内側に当接されるか、または僅かな間隔を隔てて対向され、フック本体１２に吊り下げられるロープ１５が外れないようになっている。
【００１２】
またストッパ１８の２枚のＬ字状部材２０の突出部２０ｃ，２０ｃ（図１において右端部）は、フック本体１２を挟むように突出して設けられている。そして前記突出部２０ｃにはストッパ回動手段２２が取付けられる孔２０ｄが設けられている。なおストッパ１８の突出部２０ｃに設けられる孔２０ｄは、一枚のＬ字状部材２０の突出部２０ｃに設けられたものでも、２枚のＬ字状部材２０，２０の突出部２０ｃ，２０ｃに設けられたものでもよい。
【００１３】
そしてフック本体１２の内側であって前記ストッパ１８と対向する部分には、ストッパ固定手段である永久磁石２３が取付られている。よってストッパ１８が軸支部１９を支点としてフック本体１２に向けて回動（一定角度回転）された際、接合部材２１の他側面２１ｂが、バネの付勢力に抗して前記永久磁石２３に吸着されるようになっている。なおストッパ固定手段としては、、ストッパの接合部材の側に永久磁石を設け、鉄からなるフック本体に吸着されるようにしてもよく、ストッパとフック本体の両方に磁極が異なる面が向かい合うように永久磁石を取付けてもよい。また固定手段は、ストッパとフック本体の両方に係合面同士が着脱可能な樹脂繊維テープを貼付けたものなどでもよい。
【００１４】
また図２、図３に示されるように、前記取付リング１４が吊り下げられるワイヤ１３の上端またはワイヤ１３の所定長さ上部には、別のリング２６が取付けられている。ストッパ回動手段２２は、ストッパ１８の突出部２０ｃの孔２０ｄに取付けられる針金部２２ａと、針金部２２ａの他端に取付けられるロープ２２ｂが取付けられ、ロープ２２ｂが前記リング２６に挿通され、ロープ２２ｂの他端は取手部２２ｃに係合され、地上から取手部２２ｃを引っ張れるようになっている。またフック回動手段２４も同様に、孔２５に取付けられる針金部２４ａと、針金部２４ａの他端に取付けられるロープ２４ｂが取付けられ、ロープ２４ｂが前記リング２６に挿通され、ロープ２４ｂの他端は取手部２４ｃに係合され、地上から取手部２４ｃを引っ張れるようになっている。なおストッパ回動手段、フック回動手段ともに、針金部や取手部なしでロープやワイヤのみとしてもよい。
【００１５】
次に本実施形態のワーク吊り上げ用フック１１の使用方法を説明する。まず図１に示されるようにフック本体１２にロープ１５によりワークを吊り上げて図示しないホイスト式天井クレーンを移動させ、図示しないワークを所定の位置に降ろす。そしてクレーンを僅かに下降操作し、フック本体１２に吊り下げられるロープ１５に荷重がかかっていない状態とする。
【００１６】
次に図２に示されるように、ストッパ回動手段２２のロープ２２ｂの取手部２２ｃを作業者が引っ張ることにより、ストッパ１８がフック本体１２に向けて引っ張られ、ストッパ固定手段である永久磁石２３により、ストッパ１８とフック本体１２とが固定される。そしてフック本体１２から、ロープ１５が取り外し可能な状態となる。
【００１７】
次に図３に示されるように、フック回動手段２４のロープ２４ｂの取手部２４ｃを作業者が引っ張ることにより、フック本体１２が取付リング１４を支点にして回動される（図３においては反時計回りに約半回転される）。よってフック本体１２の内周側の吊り下げ部１６が持上げられ、前記吊り下げ部１６の位置よりも先端部１７の位置が下方となり、フック本体１２に吊り下げられていたロープ１５は自然にフック本体１２から落下する。そしてワークを吊り上げていたワーク吊り上げ用フック１１は、前記クレーンによって自由に移動可能な状態となる。なお本実施形態は、特にワークを降ろす環境が、高所、高熱等の危険な環境である場合、遠隔地からフックを操作することにより、作業者が安全に作業することができるという顕著な効果を有する。
【００１８】
また本考案については、一々列挙はしないが、上記した本実施形態のものに限定されず、当業者が本考案の趣旨を踏まえて変更を加えたものについても、適用されることは言うまでもないことである。
【図面の簡単な説明】
【００１９】
【図１】本実施形態におけるワーク吊り上げ用フックの拡大図である。
【図２】本実施形態におけるワーク吊り上げ用フックの全体図であって、ストッパを回動させた状態の図である。
【図３】本実施形態におけるワーク吊り上げ用フックの全体図であって、フック本体を回動させた状態の図である。
【符号の説明】
【００２０】
１１    ワーク吊り上げ用フック
１２    フック本体
１８    ストッパ
２２    ストッパ回動手段
２３    永久磁石
２４    フック回動手段
【図１】
0003115571.tif 000003
【図２】
0003115571.tif 000004
【図３】
0003115571.tif 000005